(57)【要約】【課題】  災害時などにシスターンに溜めてある水を簡便に取り出すことのできる水洗便所を提供する。【解決手段】  シスターン１の底部２あるいは底部２付近の側壁３に蛇口９を設けたことを特徴とするものである。【選択図】      図１
2006257844.tif 000002
【特許請求の範囲】
【請求項１】
シスターンの底部または底部付近の側壁に取水口を設けたことを特徴とする水洗便所。
【請求項２】
請求項１記載の水洗便所において、前記取水口に蛇口が設けられていることを特徴とする水洗便所。
【請求項３】
請求項２記載の水洗便所において、前記シスターンの側壁に凹部が形成され、その凹部が形成された側壁に蛇口を取り付けて、蛇口の先端部がシスターンの他の側壁よりも突出していないことを特徴とする水洗便所。
【請求項４】
請求項１記載の水洗便所において、前記シスターンの内面に抗菌処理が施されていることを特徴とする水洗便所。
【請求項５】
請求項２記載の水洗便所において、前記蛇口に浄水器が取り付けられていることを特徴とする水洗便所。
【請求項６】
請求項１または２記載の水洗便所において、前記取水口が設けられる底部または側壁の内面にフィルター式の浄水器が取り付けられていることを特徴とする水洗便所。
【発明の詳細な説明】
【技術分野】
【０００１】  本発明は、家庭あるいは公共施設などに設置される水洗便所に係り、特に水洗便所に取り付けられるシスターンに関するものである。
【背景技術】
【０００２】  水洗便所のシスターンは、便器に必要な水量、水圧を付与するための水槽である。このシスターンの中には、常に１８リットル程度の多量の水が溜められており、用便毎に新たな水がシスターンに補給される仕組みになっている。【０００３】  地震や他の災害時なとの後に、水は生活を営む上で非常に貴重な物資である。前述のように水洗便所のシスターンには多量の水が確保されており、しかも新たな水が補給されていることから、災害時にはその水を生活用水として利用することができる。
【発明の開示】
【発明が解決しようとする課題】
【０００４】  ところがシスターンの上端開口部には手洗い用の比較的重い手洗い蓋が載置されており、しかもシスターンの内部にはシスターンから排出される水量を規制するためのフロート機構が内蔵されている。【０００５】  そのため前記手洗い蓋をシスターンから外して、シスターンの側壁とフロート機構の隙間にある水を掬い上げには、作業が非常に煩雑であり、手間がかかる。また陶器製の手洗い蓋は重く、取り外し時に落とすと割れてしまい、危険である。特に年少者や加齢者では、水の取り出しが困難であるなどの欠点を有している。【０００６】  本発明の目的は、このような点に鑑みなされたものであり、災害時などにシスターンに溜めてある水を簡便に取り出すことのできる水洗便所を提供することにある。
【課題を解決するための手段】
【０００７】  前記目的を達成するため本発明の第１の手段は、シスターンの底部または低部付近の側壁に取水口を設けたことを特徴とするものである。【０００８】  本発明の第２の手段は前記第１の手段において、前記取水口に蛇口が設けられていることを特徴とするものである。【０００９】  本発明の第３の手段は前記第２の手段において、前記シスターンの側壁に凹部が形成され、その凹部が形成された側壁に蛇口を取り付けて、蛇口の先端部がシスターンの他の側壁よりも突出していないことを特徴とするものである。【００１０】  本発明の第４の手段は前記第１の手段において、前記シスターンの内面に抗菌処理が施されていることを特徴とするものである。【００１１】  本発明の第５の手段は前記第２の手段において、前記蛇口に浄水器が取り付けられていることを特徴とするものである。【００１２】  本発明の第６の手段は前記第１または第２の手段において、前記取水口が設けられている底部または側壁の内面にフィルター式の浄水器が取り付けられていることを特徴とするものである。
【発明の効果】
【００１３】  本発明は前述のようにシスターンに蛇口なとの取水口を設けることにより、災害時などで生活水が必要になった場合、重くて割れる危険性のある手洗い蓋を外したり、シスターンの側壁とフロート機構の隙間から水を掬い上げるなどの煩わしい作業をしなくても、シスターン内の水を容易に取り出すことができて便利である。【００１４】  取水口はシスターンの底部または低部付近の側壁に設けられているから、シスターンに溜めてある水のほとんど全てを取り出すことができる。【００１５】  また旅行などによって長期間家が不在になる場合、取水口からシスターン内の水を抜き出すことにより、水の腐敗や微生物の生成が防止できて衛生的である。
【発明を実施するための最良の形態】
【００１６】  以下、本発明の実施形態の係る水洗便所のシスターンを図面とともに説明する。図１は、第１の実施形態の係るシスターンの断面図である。【００１７】  同図に示すように、シスターン１は底部２と側壁３を有する陶器製の水槽で、上部は開口しており、その上端開口部に陶器製の手洗い蓋４が載置されている。【００１８】  手洗い蓋４の中央部は若干へこんでおり、その所に注水口５が形成されている。この手洗い蓋４の上方には、給水配管６の給水口が臨んでいる。【００１９】  また、シスターン１の底部２には、便器（図示せず）に水を送給するための送給配管７が接続されている。図示していないが、シスターン１の内部には便器へ供給する水量を規制するためのフロート機構が内蔵されている。【００２０】  図に示すように給水配管６から供給された水８は手洗い蓋４の注水口５を通り、シスターン１の内側に溜められる。貯留されている水８の量は約１８リットルであり、用便毎に下側の水８から使用され、常に新しい水８が補給される。【００２１】  シスターン１の底部２または底部２よりも若干上側の側壁３に取水用の蛇口９が取り付けられている。通常の状態ではこの蛇口９は閉められているが、災害時など水が必要になった場合、重くて割れる危険性のある手洗い蓋４を取り外すことなく、この蛇口９から必要量の水８を容易に取り出すことができる。【００２２】  また、旅行などで長期間家が不在になる場合、この蛇口９からシスターン１内の水８を抜き出すことにより、水８の腐敗や微生物の生成を防止することができ、衛生的である。【００２３】  図２は、本発明の第２の実施形態に係るシスターンの断面図である。本実施形態の場合、側壁８の蛇口９を取り付ける部分が他の側壁８よりも若干へこんで凹部１０が形成されており、その凹部１０を形成した所に蛇口９が取り付けられている。【００２４】  そうすることにより、蛇口９の先端部が他の側壁８よりも突出せず、便所の掃除などのときに手や足が蛇口９に衝突して怪我をするようなことがなく、安全である。【００２５】  図３は、本発明の第３の実施形態に係るシスターンの断面図である。本実施形態の場合、シスターン  １の内面全体、ならびに手洗い蓋４の上面下面ならびに注水口５の内周面など、いわゆる水８と接する面が予め抗菌処理１１されている。この抗菌処理１１により、シスターン１ならびに手洗い蓋４が常に衛生状態に保たれている。【００２６】  図４は、本発明の第４の実施形態に係るシスターンの断面図である。本実施形態の場合、蛇口９の付根部あるいは開口部の先端に例えば強力な磁力を有する永久磁石などからなる浄水器１２が取り付けられている。【００２７】  永久磁石の代わりに、例えば活性炭や中空状繊維の集合体などからなるフィルター式の浄水器を用いることもできる。フィルター式の浄水器を設置する場合、シスターン１の蛇口取り付け部の内面に設置することもできる。【００２８】  このように浄水器１２を付設することにより、清浄な水８を取り出すことができ、衛生的である。【００２９】  前記実施形態ではシスターン１に対して１つの取水口を設け、その取水口に蛇口９を取り付けたが、シスターン１に対して例えば左右両側にそれぞれ取水口を予め設けておき、便所内でのシスターン１の設置位置によって使い勝手の良い側に蛇口９を取り付けて、使用しない方の取水口を閉塞するようにしてもよい。【００３０】  本発明は、ロータンク式の水洗便所ならびにハイタンク式の水洗便所、いずれにも適用可能である。
【図面の簡単な説明】
【００３１】
【図１】  本発明の第１の実施形態に係るシスターンの断面図である。
【図２】  本発明の第２の実施形態に係るシスターンの断面図である。
【図３】  本発明の第３の実施形態に係るシスターンの断面図である。
【図４】  本発明の第４の実施形態に係るシスターンの断面図である。
【符号の説明】
【００３２】  １  シスターン
２  底部
３  側壁
４  手洗い蓋
５  注水口
６  給水配管
７  送給配管
８  水
９  蛇口
１０  凹部
１１  抗菌処理
１２  浄水器
【図１】
2006257844.tif 000003
【図２】
2006257844.tif 000004
【図３】
2006257844.tif 000005
【図４】
2006257844.tif 000006